(57)【要約】【課題】手で電動ラチェットレンチを安定的に握ることが可能で、操作中の過激な振動がでもユーザーの手から離脱することのない電動ラチェットレンチ用回路遮断制御構造を提供する。【解決手段】本体１１と、駆動モータ１２と、伝動具１３と、駆動端１４と、電力供給部１５と、照明ランプ１６と、駆動電力供給回路と、照明電力供給回路と、駆動回路遮断制御スイッチ１７と、照明回路遮断制御スイッチ１８と、制御トリガー１９とから構成される。制御トリガー１９は、一端が本体１１のユーザーの手が握る範囲内に設置され、予定部位で駆動回路遮断制御スイッチ１７と接触する。手で本体１１の周面を握り、親指以外の指が制御トリガー１９の上に位置し、指の握り緊迫程度により制御トリガー１９の作動位置が変化する。【選択図】図２
0003122692.tif 000002
【実用新案登録請求の範囲】
【請求項１】
本体と、駆動モータと、伝動具と、駆動端と、電力供給部と、駆動電力供給回路と、駆動回路遮断制御スイッチと、制御トリガーとから構成されるラチェットレンチ用回路遮断制御構造であって、
前記本体は、チューブ形状を呈し、ユーザーが手でその周面の予定部位を握り、
前記駆動モータは、前記本体の内部に設置され、
前記伝動具は、前記本体の内部に設置され前記駆動モータに隣接し、前記駆動モータの出力パワーを伝達し、
前記駆動端は、前記本体の一端に設けられ、前記伝動具を介して前記駆動モータに駆動されて予定の方式で作動し、
前記電力供給部は、前記駆動モータへ電力を供給し、
前記駆動電力供給回路は、前記本体の内部に設置され、前記電力供給部と前記駆動モータを電気的に連接し、
前記駆動回路遮断制御スイッチは、前記本体の上で設置され、前記駆動電力供給回路と電気的に連接し、前記駆動回路制御スイッチの機械式の作動により、前記駆動電力供給回路がオン、オフされ、
前記制御トリガーは、一端が前記本体のユーザーの手が握る範囲内に設置され、一つの予定部位で前記駆動回路遮断制御スイッチと接触することを特徴とする電動ラチェットレンチ用回路遮断制御構造。
【請求項２】
前記制御トリガーは、ロッド形状を呈し、その軸方向は前記本体の軸方向に平行であることを特徴とする請求項１に記載の電動ラチェットレンチ用回路遮断制御構造。
【請求項３】
前記制御トリガーは、ユーザーの手が前記本体を握るときに親指以外の指が前記本体に接触可能な箇所に設置されることを特徴とする請求項１に記載の電動ラチェットレンチ用回路遮断制御構造。
【請求項４】
前記制御トリガーは身部を有し、前記身部が前記本体に枢設され、第一タッチ制御端は、前記身部から外部に伸びて前記本体の内部に延び込み、末端は前記駆動回路遮断制御スイッチに当接することを特徴とする請求項１に記載の電動ラチェットレンチ用回路遮断制御構造。
【請求項５】
前記本体の一端に固定され前記駆動端に隣接する一つの照明ランプと、前記本体の内部に設置され、前記電力供給部と前記照明ランプの間に設置され前記両者を電気的に連接する照明電力供給回路と、前記本体の上で設置され、前記照明電力供給回路と電気的に連接し、前記照明回路制御スイッチの機械式の作動により、前記照明電力供給回路がオン、オフされる照明回路遮断制御スイッチとを含むことを特徴とする請求項１に記載の電動ラチェットレンチ用回路遮断制御構造。
【請求項６】
前記制御トリガーは身部を有し、前記身部が前記本体に枢設され、第一タッチ制御端は、前記身部から外部に伸びて前記本体の内部に延び込み、末端は前記駆動回路遮断制御スイッチに当接することを特徴とする請求項５に記載の電動ラチェットレンチ用回路遮断制御構造。
【請求項７】
前記制御トリガーは、更に、前記身部から外部に伸びて前記本体の内部に延び込み、末端は前記照明回路遮断制御スイッチに当接する第二タッチ制御端を有することを特徴とする請求項６に記載の電動ラチェットレンチ用回路遮断制御構造。
【請求項８】
前記第二タッチ制御端は、前記第一タッチ制御端と前記身部の枢着軸の間に介在することを特徴とする請求項７に記載の電動ラチェットレンチ用回路遮断制御構造。
【請求項９】
前記電力供給部は電池であることを特徴とする請求項１に記載の電動ラチェットレンチ用回路遮断制御構造。
【考案の詳細な説明】
【技術分野】
【０００１】
本考案は、電動ラチェットレンチに関し、特に、電動ラチェットレンチ用回路遮断制御構造に関する。
【背景技術】
【０００２】
従来の電動ラチェットレンチの構造は、一つのチューブを本体とし、前記本体の内部空間に電動ラチェットレンチの他の部材を収容して、ユーザーの手で本体の外周面を握る。図１に示すように、ユーザーの手で電動ラチェットレンチ１を握って操作する場合には、親指が回路遮断ボタン２を常時に押圧することにより、回路の連通状態を保持する。これにより電動ラチェットレンチの内部にある駆動具へ電力が供給され、且つ押圧を解放すると、駆動具への電力供給が遮断される。
【考案の開示】
【考案が解決しようとする課題】
【０００３】
実際の操作時、電動ラチェットレンチは常に、高トルクおよび高回転数でパワーを出力するので、ユーザーは電動ラチェットレンチを常時押圧することが難しい。その原因は、回路の遮断を制御するためのボタン（スイッチ）の設計が合理的ではないためである。
ユーザーの手で前記本体を安定に握る状態を維持するために、ユーザーの手は前記本体の全周面を環状に覆うことが必要であり、且つ、上述の電動ラチェットレンチの構造では、ユーザーの親指がボタンを常時に押圧することが必要である。そうすると、ユーザーの手は前記本体の全周面を環状に覆うことは無理となり、ユーザーは手で従来の電動ラチェットレンチを安定に握ることが無理になる。更に、操作中に過激な振動によって電動ラチェットレンチがユーザーの手から離脱することもある。
【０００４】
本考案の出願者は、上記欠点を解決するために、既存の特許を調査して、米国第６９２３０９５号と米国第５１９５４０６号とで提案したエアー駆動ラチェットレンチの気体流路制御弁遮断構造によれば、ユーザーは手でエアー駆動ラチェットレンチをより安定に握ることが可能であるが、その気体流路制御弁遮断構造は電動ラチェットレンチに全く適用されなかったことを発見した。
【０００５】
したがって本考案の主な目的は、ユーザーは手で電動ラチェットレンチを安定的に握ることが可能で、操作中に過激な振動が発生しても電動ラチェットレンチはユーザーの手から離脱することのない電動ラチェットレンチ用回路遮断制御構造を提供することにある。
本考案の次の目的は、単一の制御機構により複数の回路遮断制御スイッチを制御可能な電動ラチェットレンチ用回路遮断制御構造を提供することにある。
【課題を解決するための手段】
【０００６】
上述の目的を達成するために本考案の請求項１に記載の電動ラチェットレンチ用回路遮断制御構造は、本体と、駆動モータと、伝動具と、駆動端と、電力供給部と、駆動電力供給回路と、駆動回路遮断制御スイッチと、制御トリガーとから構成されるラチェットレンチ用回路遮断制御構造である。前記本体は、チューブ形状を呈し、ユーザーが手でその周面の予定部位を握る。前記駆動モータは、前記本体の内部に設置される。前記伝動具は、前記本体の内部に設置され前記駆動モータに隣接し、前記駆動モータの出力パワーを伝達する。前記駆動端は、前記本体の一端に設けられ、前記伝動具を介して前記駆動モータに駆動されて予定の方式で作動する。前記電力供給部は、前記駆動モータへ電力を供給する。前記駆動電力供給回路は、前記本体の内部に設置され、前記電力供給部と前記駆動モータを電気的に連接する。前記駆動回路遮断制御スイッチは、前記本体の上で設置され、前記駆動電力供給回路と電気的に連接し、前記駆動回路制御スイッチの機械式の作動により、前記駆動電力供給回路がオン、オフされる。前記制御トリガーは、一端が前記本体のユーザーの手が握る範囲内に設置され、一つの予定部位で前記駆動回路遮断制御スイッチと接触することを特徴とする電動ラチェットレンチ用回路遮断制御構造である。
【０００７】
本考案の請求項２に記載の電動ラチェットレンチ用回路遮断制御構造は、前記制御トリガーは、ロッド形状を呈し、その軸方向が前記本体の軸方向に平行である。
本考案の請求項３に記載の電動ラチェットレンチ用回路遮断制御構造は、前記制御トリガーは、ユーザーの手が前記本体を握るときに親指以外の指が前記本体に接触可能な箇所に設置される。
【０００８】
本考案の請求項４に記載の電動ラチェットレンチ用回路遮断制御構造は、前記制御トリガーは身部を有し、前記身部が前記本体に枢設される。第一タッチ制御端は、前記身部から外部に伸びて前記本体の内部に延び込み、その末端が前記駆動回路遮断制御スイッチに当接する。
【０００９】
本考案の請求項５に記載の電動ラチェットレンチ用回路遮断制御構造は、更に、前記本体の一端に固定され前記駆動端に隣接する一つの照明ランプと、前記本体の内部に設置され、前記電力供給部と前記照明ランプの間に設置され前記両者を電気的に連接する照明電力供給回路と、前記本体の上で設置され、前記照明電力供給回路と電気的に連接し、前記照明回路制御スイッチの機械式の作動により、前記照明電力供給回路がオン、オフされる照明回路遮断制御スイッチとを含む。
【００１０】
本考案の請求項６に記載の電動ラチェットレンチ用回路遮断制御構造は、前記制御トリガーは身部を有し、前記身部が前記本体に枢設され、第一タッチ制御端は、前記身部から外部に伸びて前記本体の内部に延び込み、その末端が前記駆動回路遮断制御スイッチに当接する。
【００１１】
本考案の請求項７に記載の電動ラチェットレンチ用回路遮断制御構造は、前記制御トリガーは、更に、前記身部から外部に伸びて前記本体の内部に延び込み、その末端が前記照明回路遮断制御スイッチに当接する第二タッチ制御端を有する。
本考案の請求項８に記載の電動ラチェットレンチ用回路遮断制御構造は、前記第二タッチ制御端は、前記第一タッチ制御端と前記身部の枢着軸の間に介在する。
本考案の請求項９に記載の電動ラチェットレンチ用回路遮断制御構造は、前記電力供給部は電池である。
【考案の効果】
【００１２】
本考案に係る電動ラチェットレンチ用回路遮断制御構造によれば、次のような効果がある。
（イ）ユーザーは手で電動ラチェットレンチを安定に握ることが可能で、操作中に過激な振動が発生しても電動ラチェットレンチはユーザーの手から離脱することはない。
（ロ）単一の制御機構により複数の回路遮断制御スイッチを制御することが可能である。
【考案を実施するための最良の形態】
【００１３】
以下、本考案の実施例を図面に基づいて説明する。
図２から図６に示すように本考案の実施例による電動ラチェットレンチの回路遮断制御構造１０は、本体１１と、駆動モータ１２と、伝動具１３と、駆動端１４と、電力供給部１５と、照明ランプ１６と、駆動電力供給回路と、照明電力供給回路と、駆動回路遮断制御スイッチ１７と、照明回路遮断制御スイッチ１８と、制御トリガー１９とから構成されるものである。
【００１４】
前記本体１１は、二つの半割りハウジング１１１、１１２を合わせて構成されるチューブを有し、その内部空間に他の部材が収容され、ユーザーは手でその周面の予定部位を握る。
前記駆動モータ１２は、前記本体１１と同軸に前記本体１１の内部に設置され、その出力軸は、前記本体１１のチューブの軸方向と平行し、前記本体１１のチューブの一端に向く。
【００１５】
前記伝動具１３は、前記駆動モータ１２の出力軸と軸着し、前記本体１１の内部空間に収容される。
前記駆動端１４は、前記本体１１のチューブの一端に設けられ、前記伝動具１３に連接し、前記伝動具１３を介して前記駆動モータ１２に駆動されて予定の方式で作動する。
【００１６】
前記電力供給部１５は、電力貯蔵装置とする電池であり、前記本体１１のチューブの他端に設けられ、前記本体１１の内部空間に挿入する。
前記照明ランプ１６は、ＬＥＤなどの発光素子であり、前記本体１１のチューブの一端に固定され前記駆動端１４に隣接し、且つ前記照明ランプ１６の照明可能な区域を前記駆動端１４の作動位置に合わせる。
【００１７】
前記駆動電力供給回路と照明電力供給回路とは、電力供給部１５を駆動モータ１２と照明ランプ１６とにそれぞれ電気的に連接するためのものである。これにより、電力供給部１５の電力が駆動モータ１２と照明ランプ１６とをそれぞれ駆動可能であり、且つ前記駆動電力供給回路と照明電力供給回路が一つの回路板２０に設けられて前記本体の内部に設置される。
【００１８】
前記駆動回路遮断制御スイッチ１７は、前記本体回路板２０上に設置され、前記駆動電力供給回路と電気的に連接し、タッチボタン１７１を有する。前記タッチボタン１７１により、外部からの外力が前記駆動回路制御スイッチを機械的に作動して前記駆動電力供給回路がオン、オフされる。
【００１９】
前記照明回路遮断制御スイッチ１８は、前記本体回路板２０上に設置され、前記駆動回路遮断制御スイッチ１７に隣接し、ボタン１８１を有する。弾性押し片１８２が前記ボタン１８１の一側面に当接し、前記ボタン１８１の動作方向は前記チューブの軸方向に平行である。前記押し片１８２のボタン１８１に対する外力により、前記照明回路制御スイッチ１８が機械的に作動されて前記照明電力供給回路をオン、オフする。
【００２０】
前記制御トリガー１９は、身部１９１を有し、前記身部１９１は、前記本体１１の軸方向に平行で、その一端の両側に凸設した枢着ラグ１９２が前記半割りハウジング１１１、１１２を合わせて形成された一対の枢着孔１１３に枢着し、回動自在である。バネ１９３により前記身部１９１が釈放位置へ付勢される。第一タッチ制御端１９４は、前記身部１９１から外部に伸びて、末端が前記本体１１の貫通孔１１４を挿通して前記タッチボタン１７１に対向し、且つ一つの第二タッチ制御端１９５は、前記身部１９１から外部に伸びて、その末端が前記本体１１の貫通孔１１５を挿通して前記押し片１８２に当接する。
【００２１】
本実施例による電動ラチェットレンチを使用するとき、ユーザーの手が前記本体１１の周面を握り、親指以外の指が前記制御トリガー１９の上に位置し、前記指の握り緊迫程度により前記制御トリガー１９の作動位置が変化する。そうすると、従来技術のように親指がスイッチを常時に押圧し他の指が本体を安定で環状に握ることができない欠点を回避可能である。
【００２２】
また、本実施例による構造では、更に、駆動回路遮断制御スイッチ１７と照明回路遮断制御スイッチ１８とを同時に制御可能な単一の制御トリガー１９を有する。具体的には、ユーザーの手が前記本体１１を環状に握るとき、親指以外の指が緊迫に握ると、前記制御トリガー１９は釈放位置から押下げ位置に移動する。その回動の過程中に、前記第一、第ニタッチ制御端１９４、１９５の突出長さと、前記第一、第ニタッチ制御端１９４、１９５から前記身部１９１の枢着軸までの距離との差により、前記制御トリガー１９が第二タッチ制御端１９５の末端を前記押し片１８２に押圧して前記照明回路遮断制御スイッチ１８がオン状態になる。したがって前記駆動モータ１２を起動する前に、前記照明ランプ１６により前記駆動端１４の作業しようとする区域を照らして、ユーザーの手が本体を緊迫に握り前記制御トリガー１９を押下げ位置へ押圧させることにより、第一タッチ制御端１９４の末端を前記タッチボタン１７１に押圧して前記駆動回路遮断制御スイッチ１７がオン状態になる。よって、電力が供給された駆動モータ１２が回転になり、電動ラチェットレンチにより加工作業を実施可能とする。
【図面の簡単な説明】
【００２３】
【図１】従来の電動ラチェットレンチを示す斜視図である。
【図２】本考案の実施例による電動ラチェットレンチ用回路遮断制御構造を示す分解斜視図である。
【図３】本考案の実施例による電動ラチェットレンチ用回路遮断制御構造の組合状態を示す斜視図である。
【図４】図３におけるａ−ａ線に沿う断面図である。
【図５】図３におけるａ−ａ線に沿う断面図であり、制御トリガーが照明電力供給制御回路の遮断位置に位置することを示す概略図である。
【図６】図３におけるａ-ａ線に沿う断面図であり、制御トリガーが駆動電力供給制御回路の遮断位置に位置することを示す概略図である。
【符号の説明】
【００２４】
１  ラチェットレンチ、２  回路遮断ボタン、１０  回路遮断制御構造、１１  本体、１２  モータ、１３  伝動具、１４  駆動端、１５  電力供給部、１６  照明ランプ、１７  駆動回路遮断制御スイッチ、１８  照明回路遮断制御スイッチ、１９  制御トリガー、２０  回路板、１１１  半割りハウジング、１１２  半割りハウジング、１１３  枢着孔、１１４  貫通孔、１１５  貫通孔、１７１  タッチボタン、１８１  ボタン、１８２  押し片、１９１  身部、１９２  枢着ラグ、１９３  バネ、１９４  第一タッチ制御端、１９５  第二タッチ制御端
【図１】
0003122692.tif 000003
【図２】
0003122692.tif 000004
【図３】
0003122692.tif 000005
【図４】
0003122692.tif 000006
【図５】
0003122692.tif 000007
【図６】
0003122692.tif 000008